(57)【要約】  針（１０／７０）の外面上の導体素子（５０）を有する自己発熱式電気充填器／注射針（１０／７０）が記載されている。シャンク（３０）部分と先端（２０）部分に分けることができる針（１０／７０）は、中空であり、電気抵抗性材料で作られている。針の外面に配置された導体素子（５０）は、そのシャンク（３０）の長さおよびその先端（２０）の長さに沿って延びている。導体素子（５０）と針の外面との間に位置する絶縁材料（６０）は、シャンク（３０）の長さに沿って延びている。導体素子（５０）は針の先端（２０）に接触し、電流が供給されると針が自己発熱する。自己発熱式電気充填器／注射針（１０／７０）を用いて根管を充填する方法も記載されている。
2018535785.tif 000002
【特許請求の範囲】
【請求項１】
電気抵抗性材料で作られた中空の針であって、シャンク（３０）部分と先端（２０）部分とを有する針と、
前記針（１０／７０）の外面に配置され、前記シャンク（３０）部分の長さおよび前記針（１０／７０）の前記先端（２０）部分の長さに沿って延びる導体素子（５０）と、
前記導体素子（５０）と前記針の前記外面との間に配置され、前記針（１０／７０）の前記シャンク（３０）部分の前記長さに沿って延びる絶縁材料（６０）と
を含み、
前記導体素子（５０）が、前記先端（２０）部分で前記針（１０／７０）の前記電気抵抗性材料と接触し、それによって前記導体素子（５０）に電流が供給されたときに前記針（１０／７０）を加熱する、自己発熱式電気充填器／注射針（１０／７０）。
【請求項２】
前記導体素子（５０）が正弦波のパターンを有する、請求項１に記載の針。
【請求項３】
前記導体素子（５０）が直線のパターンを有する、請求項１に記載の針。
【請求項４】
前記電気抵抗性材料がステンレス鋼である、請求項１に記載の針。
【請求項５】
自己発熱式電気充填器／注射針（１０／７０）を使用して根管を充填する方法であって、前記針（１０／７０）の外面に配置された導体素子（５０）が、前記針（１０／７０）の先端（３０）部分と接触し、前記導体素子（５０）に電流が供給されたときに前記針（１０／７０）を自己発熱させる、方法。
【請求項６】
シャンク部分の周りに巻かれた絶縁材料（６０）によって針（１０／７０）の前記電気抵抗性シャンク部分から絶縁された導体素子であって、前記絶縁材料の端部を越えて延在し、前記針の電気的に抵抗性の先端（２０）部分で前記電気抵抗性材料と接触する導体素子
を含む、自己発熱式電気充填器／注射針（１０／７０）。
【請求項７】
前記導体素子（５０）が正弦波のパターンを有する、請求項６に記載の針。
【請求項８】
前記導体素子（５０）が直線のパターンを有する、請求項６に記載の針。
【請求項９】
ステンレス鋼である、前記電気抵抗性シャンクおよび先端部分をさらに含む、請求項６に記載の針。
【発明の詳細な説明】
【技術分野】
【０００１】
本発明は、歯科用器具に関し、より詳細には、根管をシーリング材料で充填するために特に設計された歯科用器具に関する。
【背景技術】
【０００２】
根管系を封止するにはいくつかの方法があり、そのほとんどはグッタペルカと呼ばれるゴム様の材料を使用している。このグッタペルカは、テーパ状のコーンの形態であってもよく、これは充填器で根管内に圧密にする。あるいは、グッタペルカは、グッタペルカを軟化させるために加温される閉塞キャリア上のコーティングとして配置して、根管内に堆積することができ、そこではキャリアが材料を管腔内へ圧密にする。
【０００３】
現在、充填材料および包囲するキャリアの形状は、形成される根管のテーパ形状と一致していない。根管整形のステップバック法を使用するとき、根管形成の最終形状は、各々のより大きな器具の嵌合が増加し、根管の終端からさらに後退することにより、間接的に識別できるだけである。これは、かなりの経験後にのみ習得する難しい技術である。形成されたテーパが臨床医にとって不明瞭であることが多いため、適切なテーパのグッタペルカポイント、または根管を封止するための閉塞キャリアを選択することは、同様に困難である。選択された閉塞装置またはグッタペルカポイントが過度にテーパ状になると、それは根管の末端の手前の根管において結合し、重大な先端の封止が不十分になり、歯内治療の漏出および失敗を引き起こす。閉塞装置またはグッタペルカポイントが狭すぎる場合、圧縮処置中に根管の頚部３分の２の充填材料にわずかな液圧がかかり、根管の当該領域にある側方または付属する根管が封止できなくなり、やはり歯内治療が失敗する機会が増す。
【０００４】
根管を充填する多くの技術があるが、歯内治療の分野では、グッタペルカ充填材料を加温して軟化させ、それによって根管系の隅々まで十分に圧密にさせる方法は、圧縮に先立ってグッタペルカを熱可塑性化しない技術より優れていることが、一般に認識されている。
【０００５】
温めたグッタペルカの垂直圧縮は、根管内のグッタペルカを加温して圧密にするための公知の技術である（例えば、米国特許第５，４０６，０５３号明細書参照）。この技術では、適切にテーパしたグッタペルカコーンが、形成された根管に嵌め込まれ、接着され、火の加熱または電気的に加熱されたグッタペルカ熱キャリアが、根管のオリフィスのレベルでグッタペルカコーンを焼灼するために使用される。軟化したグッタペルカを適当な大きさの垂直圧縮充填器で根管の中に押し込むと、圧縮の第一波が始まり、主要な根管の当該領域に存在する側方の根管を充填する。次に、根管に再び導入して、熱キャリアを数ミリメートル（ｍｍ）グッタペルカに穿進させ、頂端部の塊を加熱し、頂端部の塊の一部を除去して、次の圧縮波が根元部のより深くで生じ得るようにする。これらの加熱および圧密サイクルは、根管の末端から約５〜７ミリメートルで終わる圧縮の最後の波まで続く。
【０００６】
このエンドポイントに到達するには、一般に３〜７の圧縮の波が必要である。エンドポイントで、臨床医は、冠状の管腔に保持性のある支柱を置くか、それをグッタペルカで埋め戻さなければならない。埋め戻しは、グッタペルカの小片を加熱し、それを根管に連続的に充填するか、グッタペルカ銃から予め加熱したグッタペルカのアロケート（ａｌｌｏｑｕａｔｅｓ）を注射し、充填器でそれを圧密にすることによって行うことができる。記載された様式での複数の圧縮の波および埋め戻しを伴うダウンパックは、少なくとも７つの異なる器具が必要であり、臨床医およびチェアサイドアシスタントのかなり広範な訓練、および１５〜３０分の臨床時間を必要とする。さらに、これらの圧縮充填器および熱キャリアは、それらのサイズを根管形成のテーパに適合させるための相関する機構が欠けている。
【０００７】
パルプを除去し、グッタペルカなどの充填材料を受ける最良の形態に根管を形成することによって根管を形成するには、根管を穿進する深さを制御し、根管ファイルの穿進の深さを制限することが極めて重要である。
【０００８】
充填器、または加熱要素が設けられている場合は、熱キャリア／充填器と呼ばれることが多い閉塞圧縮装置は、先に形成した根管にテーパ状のグッタペルカコーンを挿入して充填するために設計される。例えば、参照により本明細書に組み込まれる米国特許第５，９２１，７７５号明細書は、整形器具、灌注カニューレ、充填器具、および関連材料が、根管形成において特定のテーパを安全に作成するように設計された歯内治療システムを記載している。識別されたすべての器具は、同一のテーパ、好ましくは０．０２ｍｍテーパ／ｍｍの溝の長さという標準的なＩＳＯテーパよりも大きいもので設計される。
【先行技術文献】
【特許文献】
【０００９】
【特許文献１】米国特許第５，４０６，０５３号明細書
【特許文献２】米国特許第５，９２１，７７５号明細書
【発明の概要】
【発明が解決しようとする課題】
【００１０】
熱可塑性のグッタペルカを頂部および側方の管腔内にダウンパックまたは圧縮するために電熱充填器を使用する場合、通常、充填器の側面に沿って移動するグッタペルカは、ダウンパックが完了した後に除去され、冠状の管腔を空にする。空隙を埋め戻すために、グッタペルカ埋め戻し注射器と呼ばれる第２の閉塞装置が必要である。注射器の加熱チャンバから注射針の端部への熱伝導が、グッタペルカ材料の温度を、針の先端までの全長に沿って熱可塑性を維持するのに十分に高く保つために適切であるようにしなければならないため、グッタペルカ埋め戻し注射針は、典型的には、純銀または銀合金で作られる。しかし、銀または銀合金製の注射針は、熱可塑性材料を加熱して根管腔に前述の材料を押し出した後に管腔に圧縮させるために使用される固有の剛性を欠いている。
【００１１】
その結果、加温したグッタペルカを管腔に充填するのに十分な剛性を維持しながら、針の先端に注射器加熱チャンバから熱を伝導できる埋め戻し注射針が必要とされている。テーパ状のグッタペルカマスターコーンまたはキャリアを根管に適合させる必要性をなくし、ダウンパック電熱充填器およびグッタペルカ埋め戻し注射器の典型的な装置のセットを単一の装置に縮小する針も、必要とされている。
【課題を解決するための手段】
【００１２】
針の外面上に導体素子を有する自己発熱式電気充填器／注射針が記載されている。シャンク部分と先端の部分に分けることができる針は、中空であり、電気抵抗性材料で作られている。針の外面に配置された導体素子は、そのシャンクの長さおよびその先端の長さに沿って延びている。導体素子と針の外面との間に位置する絶縁材料は、シャンクの長さに沿って延びている。導体素子は針の先端に接触し、電流が供給されると針が自己発熱する。導体素子は、正弦または直線のパターンを有することができる。自己発熱式電気充填器／注射針を用いて根管を充填する方法も記載されている。
【図面の簡単な説明】
【００１３】
【図１】本発明に従って製造された自己発熱式電気充填器／注射針の実施形態の側面図である。
【図２】図１に示す実施形態の上面図である。
【図３】図１に示す実施形態の先端の拡大図である。
【図４】本発明に従って製造された自己発熱式電気充填器／注射針の別の実施形態の側面図である。
【発明を実施するための形態】
【００１４】
図１〜図３に示すように、自己発熱式電気充填器／注射針１０は、シャンク３０の部分と先端２０の部分とに分割することができる。シャンク３０は、先端２０からの距離が増加するにつれてテーパの直径が増大するテーパ状であってもよい。先端２０に対向するシャンク３０の端部は、導体素子５０に電流を送達するハンドピース（図示せず）に接続することができ、また、臨床医が電熱充填器／注射針１０を操作するためのハンドルを設ける。針１０の穴２５は中空である。グッタペルカ注射器機構をハンドピース内に配置して、熱可塑性充填材料を予め軟化させて充填器／注射針１０内側の中空空間２５から押し出すようにする。
【００１５】
自己発熱式電気充填器／注射針１０は、電気抵抗性材料、好ましくはステンレス鋼で作られている。針１０の外面の加熱要素としても知られている正弦曲線形状の導体素子５０は、そのシャンク３０の長さおよびその先端２０の長さに沿って延びている。導体素子５０は、同様に針１０のシャンク３０の長さに沿って延びる絶縁材料６０によって、針１０の表面から分離されている。しかし、針１０の先端２０では、導体素子５０が針１０の電気抵抗性材料に直接接触する（すなわち、先端２０は非絶縁である）。電気抵抗性材料は、電流に対するアースとして作用し、電気抵抗性材料は、絶縁材料６０よりも電流に対してより抵抗性があるため、針１０を自己発熱させる。
【００１６】
図４に示すように、自己発熱式電気充填器／注射針７０の別の実施形態は、シャンク３０の部分と先端２０の部分を有する。シャンク３０は、先端２０からの距離が増加するにつれてテーパの直径が増大するテーパ状であってもよい。先端２０に対向するシャンク３０の端部は、導体素子５０に電流を送達するハンドピース（図示せず）に接続することができ、また臨床医が電熱充填器／注射針７０を操作するためのハンドルを設ける。針７０の穴２５は中空である。グッタペルカ注射器機構をハンドピース内に配置して、熱可塑性充填材料を予め軟化させて充填器／注射針７０内側の中空空間２５から押し出すようにする。
【００１７】
自己発熱式電気充填器／注射針７０は、電気抵抗性材料、好ましくはステンレス鋼で作られている。針７０の外面の加熱要素としても知られている導体素子５０は、そのシャンク３０の長さおよびその先端２０の長さに沿って直線状に延びている。導体素子５０は、同様に針７０のシャンク３０の長さに沿って延びる絶縁材料６０によって、針７０の表面から分離されている。しかし、針７０の先端２０では、導体素子５０が針７０の電気抵抗性材料に直接接触する（すなわち、先端は非絶縁である）。電気抵抗性材料は、電流に対するアースとして作用し、電気抵抗性材料は、絶縁材料よりも電流に対してより抵抗性があるため、針７０を自己発熱させる。
【００１８】
自己発熱式電気充填器／注射針について、ある程度の特殊性をもって説明してきたが、本開示の精神および範囲から逸脱することなく、針の構成要素、それらの構成要素の構成および配置、および針を使用する方法に多くの変更を加えることができる。したがって、本発明は、各要素が権利を与えられる均等物の全範囲を含む、添付の特許請求の範囲によってのみ限定される。
【図１】
2018535785.tif 000003
【図２】
2018535785.tif 000004
【図３】
2018535785.tif 000005
【図４】
2018535785.tif 000006
【国際調査報告】
2018535785.tif 000007
2018535785.tif 000008
2018535785.tif 000009
2018535785.tif 000010